(57)【要約】【課題】ケースヘッドとカバーヘッドとの間の防水性を高め、固定基板をインク等の液体から保護できる液体噴射ヘッド及び液体噴射ヘッドを有する液体噴射装置を提供すること。【解決手段】カバーケース３１１は、固定基板を収容する凹部３７１と、凹部の周囲においてケースヘッドと近接又は当接するカバー側接着部３７１等と、を有し、ケースヘッド３１０は、カバー側接着部３７１に対応するケース側接着部３５６を有し、カバー側接着部とケース側接着部の表面がそれぞれ平面形状となっており、ケースヘッドには、カバー側接着部とケース側接着部とを対向位置に配置するための案内手段３５３ａがケースヘッドから突出して設けられ、案内手段には、カバー側接着部がケース側接着部に対して角度を保持して進入するための案内をするカバーケース進入案内部３５４ａが形成されている液体噴射ヘッド３００。【選択図】図８
2005111884.tif 000002
【特許請求の範囲】
【請求項１】
液体を吐出するノズル開口を有するノズル形成部と、
前記液体を前記ノズル開口から吐出させるためのアクチュエータ部と、を有するヘッドユニットと、
前記アクチュエータ部に接続されるフレキシブル基板と、
前記フレキシブル基板を接続する固定基板と、
前記固定基板を保持するケースヘッドと、
前記ケースヘッドに保持された前記固定基板を覆うカバーケースと、を備える液体噴射ヘッドであって、
前記カバーケースは、前記固定基板を収容する凹部と、
前記凹部の周囲において前記ケースヘッドと近接又は当接するカバー側接着部と、を有し、
前記ケースヘッドは、前記カバー側接着部に対応するケース側接着部を有し、
前記カバー側接着部と前記ケース側接着部の表面がそれぞれ平面形状となっており、
前記ケースヘッドには、前記カバー側接着部と前記ケース側接着部とを対向位置に配置するための案内手段が前記ケースヘッドから突出して設けられ、
前記案内手段には、前記カバー側接着部が前記ケース側接着部に対して角度を保持して進入するための案内をするカバーケース進入案内部が形成されていることを特徴とする液体噴射ヘッド。
【請求項２】
前記カバー側接着部が前記凹部の周囲において全周にわたって形成され、
前記ケース側接着部も前記全週にわたって形成された前記カバー側接着部に対応して形成されていることを特徴とする請求項１に記載の液体噴射ヘッド。
【請求項３】
前記カバーケースには、前記カバーケース進入案内部に沿って移動可能な被案内部が形成され、
前記カバーケース進入案内部の基端部側には、前記カバーケース進入案内部による案内された前記被案内部を保持する被案内保持部が形成され、
被案内保持部には、前記被案内部の動きを規制する規制部が形成されていることを特徴とする請求項１又は請求項２に記載の液体噴射ヘッド。
【請求項４】
前記カバーケースにはカバー側係合部が形成され、
前記ケースヘッドの前記案内手段には、前記カバー側係合部と係合するケース側係合部が形成されていることを特徴とする請求項１乃至請求項３のいずれかに記載の液体噴射ヘッド。
【請求項５】
前記カバー側接着部は、カバー側上部接着部と、
前記カバー側上部接着部と同一面において交わる方向に形成されるカバー側側部接着部と、
前記カバー側側部接着部と同一面において垂直方向に交わるように形成されるカバー側底部接着部と、を有し、
前記ケース側接着部は、前記カバー側上部接着部、前記カバー側側部接着部及び前記カバー側底部接着部に対応して、それぞれケース側上部接着部、ケース側側部接着部及びケース側底部接着部を有し、
前記カバー側側部接着部と前記カバー側底部接着部とで形成される突出部の角度と、前記ケース側側部接着部と前記ケース側底部接着部とで形成される受容部の角度が略同一で、
前記ケースヘッドの前記カバーケース進入案内部は、前記カバーケースの前記突出部が前記ケースヘッドの前記受容部に対して近接又は当接する方向に移動するように案内する構成となっていることを特徴とする請求項１乃至請求項４のいずれかに記載の液体噴射ヘッド。
【請求項６】
液体を吐出するノズル開口を有するノズル形成部と、
前記液体を前記ノズル開口から吐出させるためのアクチュエータ部と、を有するヘッドユニットと、
前記アクチュエータ部に接続されるフレキシブル基板と、
前記フレキシブル基板を接続する固定基板と、
前記固定基板を保持するケースヘッドと、
前記ケースヘッドに保持された前記固定基板を覆うカバーケースと、を備える液体噴射ヘッドを有する液体噴射装置であって、
前記液体噴射ヘッドの前記カバーケースは、前記固定基板を収容する凹部と、
前記凹部の周囲において前記ケースヘッドと近接又は当接するカバー側接着部と、を有し、
前記ケースヘッドは、前記カバー側接着部に対応するケース側接着部を有し、
前記カバー側接着部と前記ケース側接着部の表面がそれぞれ平面形状となっており、
前記ケースヘッドには、前記カバー側接着部と前記ケース側接着部とを対向位置に配置するための案内手段が前記ケースヘッドから突出して設けられ、
前記案内手段には、前記カバー側接着部が前記ケース側接着部に対して角度を保持して進入するための案内をするカバーケース進入案内部が形成されていることを特徴とする液体噴射ヘッドを有する液体噴射装置。
【発明の詳細な説明】
【技術分野】
【０００１】
本発明は、液体を吐出する液体噴射ヘッド及び液体噴射ヘッドを有する液体噴射装置に関するものである。
【背景技術】
【０００２】
従来より、液体噴射装置である例えば、インクジェット式記録装置には、インクを吐出するための液体噴射装置である例えば、インクジェット式記録ヘッドが設けられている（例えば、特許文献１参照）。
インクジェット式記録ヘッドは、液体であるインクを収容するインクカートリッジを装着するケースヘッドを有している。このフレキシブル基板は固定基板に接続され、ケースヘッドに配置される構成となっている。
このケースヘッドに配置された固定基板に対しては、この固定基板を覆うようにカバーケースが配置される。このカバーケースはその一部がケースヘッドに接着等されることにより、ケースヘッドに固定される構成となっている。
【特許文献１】特開平９−２４８９４９号公報（図３等）
【発明の開示】
【発明が解決しようとする課題】
【０００３】
ところが、近年、インクジェット式記録装置の小型化が進んでおり、利用者がインクジェット記録装置を持ち運ぶモバイル化が要請されている。しかし、上述のように、カバーケースの一部がケースヘッド１４に接着されている従来のインクジェット記録ヘッドを有するインクジェット記録装置を利用者が持ち運び、使用すると以下の問題が生じる。
すなわち、インクジェット記録装置を大きく傾かせると、装置内の廃液吸収剤や、ワイパーに付着したインク、キャップ内に溜まっていた廃インク、ケースヘッドに配置されるインクカートリッジ内のインクがケースヘッドに漏れ出す。このとき、ケースヘッドとカバーケースとの間は一部しか接着されておらず、防水性が不十分なため、ケースヘッドとカバーケースとの間からインクが内部に進入して、内部の前記固定基板に達し、固定基板等が発熱するという問題があった。
【０００４】
そこで、本発明は、ケースヘッドとカバーケースとの間の防水性を高め、固定基板をインク等の液体から保護できる液体噴射ヘッド及び液体噴射ヘッドを有する液体噴射装置を提供することを目的とする。
【課題を解決するための手段】
【０００５】
前記課題は、第１の発明によれば、液体を吐出するノズル開口を有するノズル形成部と、前記液体を前記ノズル開口から吐出させるためのアクチュエータ部と、を有するヘッドユニットと、前記アクチュエータ部に接続されるフレキシブル基板と、前記フレキシブル基板を接続する固定基板と、前記固定基板を保持するケースヘッドと、前記ケースヘッドに保持された前記固定基板を覆うカバーケースと、を備える液体噴射ヘッドであって、前記カバーケースは、前記固定基板を収容する凹部と、前記凹部の周囲において前記ケースヘッドと近接又は当接するカバー側接着部と、を有し、前記ケースヘッドは、前記カバー側接着部に対応するケース側接着部を有し、前記カバー側接着部と前記ケース側接着部の表面がそれぞれ平面形状となっており、前記ケースヘッドには、前記カバー側接着部と前記ケース側接着部とを対向位置に配置するための案内手段が前記ケースヘッドから突出して設けられ、前記案内手段には、前記カバー側接着部が前記ケース側接着部に対して角度を保持して進入するための案内をするカバーケース進入案内部が形成されていることを特徴とする液体噴射ヘッドにより達成される。
【０００６】
第１の発明の構成によれば、前記カバーケースは、前記固定基板を収容する凹部と、前記凹部の周囲において前記ケースヘッドと近接又は当接するカバー側接着部と、を有し、  前記ケースヘッドは、前記カバー側接着部に対応するケース側接着部を有し、前記カバー側接着部と前記ケース側接着部の表面がそれぞれ平面形状となっている。
このため、前記カバー側接着部と前記ケース側接着部とを接着剤等で接着するときこれらカバー側接着部とケース側接着部は、接着剤を塗布等し易い形状となっている。
また前記カバー側接着部は、前記固定基板を収容する前記凹部の周囲に形成されるので、前記カバー側接着部を接着剤等で前記ケース側接着部と接着することで、前記固定基板の周囲の防水性を高めることができる。
【０００７】
また、本発明の構成によれば、前記ケースヘッドには、前記カバー側接着部と前記ケース側接着部とを対向位置に配置するための案内手段が前記ケースヘッドから突出して設けられ、前記案内手段には、前記カバー側接着部が前記ケース側接着部に対して角度を保持して進入するための案内をするカバーケース進入案内部が形成されている。
このため、前記カバー側接着部を前記ケース側接着部に接着剤等を介し当接等させるときに、前記カバー側接着部が前記ケース側接着部上を摺動等することがないので、接着剤等を摺動方向前方に押し込め、両者の間の接着剤等の厚みが場所によって異なることがない。
したがって、防水性が低下する接着剤等の厚みが薄い部分が生じ難く、全体として防水性を向上させることができる。
【０００８】
また、接着剤等が前記カバー側接着部と前記ケース側接着部との間に確実に配置されたか否かは、両者の間からはみ出した接着剤等を視認することで行われるが、接着剤等の厚みが薄い部分は、接着されていても接着剤等がはみ出さない。このため、接着状態を外部から視認により確認することができないが、本発明の構成によれば、接着剤等の厚みが薄い部分が生じないので、接着状態の視認による確認の精度も著しく向上する。
【０００９】
第２の発明によれば、第１の発明の構成において、前記カバー側接着部が前記凹部の周囲において全周にわたって形成され、前記ケース側接着部も前記全週にわたって形成された前記カバー側接着部に対応して形成されていることを特徴とする液体噴射ヘッドである。
【００１０】
第２の発明の構成によれば、前記カバー側接着部が前記凹部の周囲において全周にわたって形成され、前記ケース側接着部も前記全週にわたって形成された前記カバー側接着部に対応して形成されている。このため、前記凹部に収容される前記固定基板の周囲は全周にわたって接着されるので、防水性を著しく向上させることができる。
【００１１】
第３の発明によれば、第１又は第２の発明の構成において、前記カバーケースには、前記カバーケース進入案内部に沿って移動可能な被案内部が形成され、前記カバーケース進入案内部の基端部側には、前記カバーケース進入案内部による案内された前記被案内部を保持する被案内保持部が形成され、被案内保持部には、前記被案内部の動きを規制する規制部が形成されていることを特徴とする液体噴射ヘッドである。
【００１２】
第３の発明の構成によれば、前記カバーケースには、前記カバーケース進入案内部に沿って移動可能な被案内部が形成されている。このため、前記被案内部が前記カバーケース進入案内部に沿って移動することで、前記カバー側接着部を前記ケース側接着部に対して角度を保持して精度良く近接又は当接させることができ、前記カバー側接着部が前記ケース側接着部上を摺動等することがない。
【００１３】
また、本発明の構成によれば、前記カバーケース進入案内部の基端部側には、前記カバーケース進入案内部による案内された前記被案内部を保持する被案内保持部が形成され、
被案内保持部には、前記被案内部の動きを規制する規制部が形成されている。
このため、前記カバーケースの前記被案内部は、案内が終了し、前記カバーケースが所定の位置に配置された後は、前記ケースヘッドの前記被案内保持部に保持される。この被案内保持部に保持された前記被案内部は、前記規制部により移動が規制されるので、前記カバーケースが前記ケースヘッドから外れる動きを阻止するいわゆる、抜け止めとなる。
【００１４】
第４の発明によれば、第１乃至第３のいずれかの構成において、前記カバーケースにはカバー側係合部が形成され、前記ケースヘッドの前記案内手段には、前記カバー側係合部と係合するケース側係合部が形成されていることを特徴とする液体噴射ヘッドである。
【００１５】
前記第４の発明の構成によれば、前記カバーケースにはカバー側係合部が形成され、前記ケースヘッドの前記案内手段には、前記カバー側係合部と係合するケース側係合部が形成されている。このため、前記カバー側係合部と前記ケース側係合部とが係合することで、前記カバーケースと前記ケースヘッドは、両者の位置が固定される。
すなわち、前記カバーケースの前記カバー側接着部と前記ケースヘッドの前記ケース側接着部とが接着剤等で接着されると共に前記カバー側係合部と前記ケース側係合部との係合で固定されるので、前記カバーケースと前記ケースヘッドはより強固に接着状態が保持されることになる。
【００１６】
第５の発明によれば、第１乃至第４のいずれかの構成において、前記カバー側接着部は、カバー側上部接着部と、前記カバー側上部接着部と同一面において交わる方向に形成されるカバー側側部接着部と、前記カバー側側部接着部と同一面において垂直方向に交わるように形成されるカバー側底部接着部と、を有し、前記ケース側接着部は、前記カバー側上部接着部、前記カバー側側部接着部及び前記カバー側底部接着部に対応して、それぞれケース側上部接着部、ケース側側部接着部及びケース側底部接着部を有し、前記カバー側側部接着部と前記カバー側底部接着部とで形成される突出部の角度と、前記ケース側側部接着部と前記ケース側底部接着部とで形成される受容部の角度が略同一で、前記ケースヘッドの前記カバーケース進入案内部は、前記カバーケースの前記突出部が前記ケースヘッドの前記受容部に対して近接又は当接する方向に移動するように案内する構成となっていることを特徴とする液体噴射ヘッドである。
【００１７】
第５の発明の構成によれば、前記ケースヘッドの前記カバーケース進入案内部は、前記カバーケースの前記突出部が前記ケースヘッドの前記受容部に対して近接又は当接する方向に移動するように案内する構成となっている。このため、前記カバーケースと前記ケースヘッドとの接着位置の位置決めをする際、前記突出部と前記受容部とを合わせるように、前記カバーケースを移動させることで容易且つ正確に位置決めをすることができる。
【００１８】
前記課題は、第６の発明によれば、液体を吐出するノズル開口を有するノズル形成部と、前記液体を前記ノズル開口から吐出させるためのアクチュエータ部と、を有するヘッドユニットと、前記アクチュエータ部に接続されるフレキシブル基板と、前記フレキシブル基板を接続する固定基板と、前記固定基板を保持するケースヘッドと、前記ケースヘッドに保持された前記固定基板を覆うカバーケースと、を備える液体噴射ヘッドを有する液体噴射装置であって、前記液体噴射ヘッドの前記カバーケースは、前記固定基板を収容する凹部と、前記凹部の周囲において前記ケースヘッドと近接又は当接するカバー側接着部と、を有し、前記ケースヘッドは、前記カバー側接着部に対応するケース側接着部を有し、前記カバー側接着部と前記ケース側接着部の表面がそれぞれ平面形状となっており、前記ケースヘッドには、前記カバー側接着部と前記ケース側接着部とを対向位置に配置するための案内手段が前記ケースヘッドから突出して設けられ、前記案内手段には、前記カバー側接着部が前記ケース側接着部に対して角度を保持して進入するための案内をするカバーケース進入案内部が形成されていることを特徴とする液体噴射ヘッドを有する液体噴射装置により達成される。
【００１９】
第６の発明の構成によれば、第１の発明の構成と同様に、前記液体噴射ヘッドの前記カバー側接着部と前記ケース側接着部とを接着剤等で接着するとき、これらカバー側接着部とケース側接着部は、接着剤を塗布等し易い形状となっている。
また前記カバー側接着部は、前記固定基板を収容する前記凹部の周囲に形成されるので、前記カバー側接着部を接着剤等で前記ケース側接着部と接着することで、前記固定基板の周囲の防水性を高めることができる。
【００２０】
また、前記カバー側接着部を前記ケース側接着部に接着剤等を介し当接等させるときに、前記カバー側接着部が前記ケース側接着部上を摺動等することがないので、接着剤等を摺動方向前方に押し込め、両者の間の接着剤等の厚みが場所によって異なることがない。
したがって、防水性が低下する接着剤等の厚みが薄い部分が生じ難く、全体として防水性を向上させることができる。
【００２１】
また、接着剤等が前記カバー側接着部と前記ケース側接着部との間に確実に配置されたか否かは、両者の間からはみ出した接着剤等を視認することで行われるが、接着剤等の厚みが薄い部分は、接着されていても接着剤等がはみ出さない。このため、接着状態を外部から視認により確認することができないが、本発明の構成によれば、接着剤等の厚みが薄い部分が生じないので、接着状態の視認による確認の精度も著しく向上する。
【発明を実施するための最良の形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は本発明の液体噴射装置の実施の形態にかかるインクジェット式記録装置（以下「記録装置」という）１００を示す概略斜視図である。
図１に示すように、記録装置１００は、キャリッジ１０１を有し、このキャリッジ１０１はキャリッジモータ１０２により駆動されるタイミングベルト１０３を介し、ガイド部材１０４に案内されてプラテン１０５の軸方向に往復移動されるように構成されている。
【００２４】
図１のキャリッジ１０１の記録用紙２００に対向する側には、後述する液体噴射ヘッドである例えば、インクジェット式記録ヘッド（以下「記録ヘッド」という）３００が搭載され、その上部には、記録ヘッド３００に液体である例えば、インクを供給するブラックインクカートリッジ１０６及びカラー用インクカートリッジ１０７が着脱可能に装填されている。
そして、図１の記録用紙２００は、印字等領域Ｐに配置されて、記録ヘッド３００によってインクが吐出され、印字等される構成となっている。
【００２５】
図２は、記録ヘッド３００の要部を示す概略斜視図である。図２に示すように、記録ヘッド３００は、ケースヘッド３１０やカバーケース３１１を有している。また、ケースヘッド３１０の図において底部にはカバーヘッド３４０が配置され、このカバーヘッド３４０内には、ヘッドユニット３２０が収容されている。
【００２６】
図３は、図２の記録ヘッド３００の概略分解斜視図である。図３に示すように、ケースヘッド３１０には、図１のブラックインクカートリッジ１０６やカラー用インクカートリッジ１０７からインクを導く針３１２やインクを濾すフィルタ３１３を有している。
また、ケースヘッド３１０は、後述するフレキシブル基板３３０を接続するための固定基板である例えば、ケースヘッド側基板３１４を保持している。
そして、ケースヘッド３１０に保持されたケース側基板３１４を覆うカバーケース３１１を有している。
【００２７】
また、ケースヘッド３１０の下方には、ヘッドユニット３２０が配置される。ヘッドユニット３２０は、最も下に、インクを吐出するためのノズルが形成されているノズル形成部である例えば、ノズルプレート３２４を有している。
ノズルプレート３２４の上には、ノズルプレート３２４にインク等を供給するための供給プレート３２３やリザーバプレート３２２が配置されている。
リザーバプレート３２２の上には、電圧が印加されるとたわみ振動をする圧電体を有するアクチュエータ部である例えば、アクチュエータ３２１が配置されている。
そして、これらノズルプレート３２４、供給プレート３２３、リザーバプレート３２２及びアクチュエータ３２１は、接着され一体化され、ヘッドユニット３２０を構成している。
すなわち、電圧がアクチュエータ３２１に印加されると圧電体がたわみ振動し、その振動によってノズルプレート３２４のノズルからインクが吐出される構成となっている。
【００２８】
また、図３に示すように、ヘッドユニット３２０のアクチュエータ３２１の上で、ケースヘッド３１０との間には、アクチュエータ３２１に接続され、アクチュエータ３２１に電力を供給するフレキシブル基板３３０が配置されている。
フレキシブル基板３３０はケースヘッド３１０に配置されているケースヘッド側基板３１４と接続され、ケースヘッド側基板３１４から電力の供給を受ける構成となっている。
そして、一体化されたヘッドユニット３２０は、電力の供給をうけるフレキシブル基板３３０を挟んでケースヘッド３１０の底部に接着される構成となっている。
このように、ケースヘッド３１０とヘッドユニット３２０がフレキシブル基板３３０を挟んで接着されることにより、ケースヘッド３１０側よりヘッドユニット３２０側へインクが円滑に供給される構成となる。
【００２９】
ところで、図３のケースヘッド３１０に対してフレキシブル基板３３０等が接続されたケース側基板３１４が配置されると、その後、カバーケース３１１がケースヘッド３１０に接着固定される構成となっている。
図４は、図３のケースヘッド３１０の概略斜視図であり、図５は、図４のケースヘッド３１０の概略右側面図である。図６は、図５の矢印Ｐ部の概略部分拡大図であり、図７は図３のカバーケース３１１の概略斜視図である。
図３及び図４に示すように、ケースヘッド３１０には、ケース側基板３１４を配置するためのケース側基板配置部３５２を有している。
一方、図７に示すように、カバーケース３１１の中央部には、図４等のケース側基板配置部３５２に配置されたケース側基板３１４を内部に収容するための凹部であるケース側基板収容部３７１を有している。
【００３０】
また、カバーケース３１１のケース基板収容部３７１の周囲には、図４のケースヘッド３１０と接着剤を介して接着され、当接されるカバー側接着部を有している。すなわち、カバー側接着部は、カバー側上部接着部である例えば、カバー側上部接着面３７４を有している。
また、カバー側上部接着面３７４と同一面において交わる方向、例えばカバー側上部接着面３７４と直交する方向に、カバー側側部接着部である例えば、カバー側左側接着面３７５及びカバー側右側接着面３７６が配置されている。
すなわち、図７に示すようにカバー上部接着面３７４の左右の両端部から下方に向かってカバー側左側接着面３７５及びカバー側右側接着面３７６がそれぞれ形成されている。
【００３１】
また、これらカバー側左側接着面３７５及びカバー側右側接着面３７６と同一面において垂直方向に交わるようにカバー側底部接着部である例えば、カバー側左奥行側接着面３７７及びカバー側右奥行側接着面３７８とを有している。すなわち、カバー側左奥行側接着面３７７及びカバー側右奥行側接着面３７８は、カバー側左側接着面３７５及びカバー側右側接着面３７６の下端部から図７の奥行き方向に直角に屈曲するように形成されている。
また、カバー側左側接着面３７５及びカバー側右側接着面３７６と、カバー側左奥行側接着面３７７及びカバー側右奥行側接着面３７８とで形成される突出部３８０ａ、３８０ｂは略直角に形成されている。
また、図７に示すように、カバー側左奥行側接着面３７７及びカバー側右奥行側接着面３７８の奥行側の端部間を結ぶようにカバー側奧側接着面３７９が形成されている。これら、カバー側上部接着面３７４、カバー側左側接着面３７５、カバー側右側接着面３７６、カバー側左奥行側接着面３７７、カバー側右奥行側接着面３７８及びカバー側奧側接着面３７９の表面は、それぞれ幅が狭い長尺状で形成され、表面形状が平面形状となっている。
【００３２】
一方、図４に示すように、ケースヘッド３１０には、図７のカバー側上部接着面３７４等のカバー側接着部に対応するケース側接着部を有している。すなわち、ケース側接着部は、具体的には、カバー側上部接着面３７４、カバー側左側接着面３７５、カバー側右側接着面３７６、カバー側左奥行側接着面３７７、カバー側右奥行側接着面３７８及びカバー側奧側接着面３７９に、それぞれ対応して、ケース側上部接着部である例えば、ケース側上部接着面３５６、ケース側側部接着部である例えば、ケース側左側接着面３５７、ケース側右測接着面３５８、ケース側底部接着部である例えば、ケース側左奥行側接着面３５９、ケース側右奥行側接着面３６０、そして、ケース側手前側接着面３６１が、ケースヘッド３１０に配置されている。
【００３３】
これらケース側上部接着面３５６等もカバー側上部接着面３７４等と同様に、それぞれ幅が狭い長尺状に形成され、表面形状が平面形状となっている。また、ケース側左側接着面３５７及びケース側右側接着面３５８と、ケース側左奥行側接着面３５９及びケース側右奥行側接着面３６０とで形成される図４及び図５の受容部３６３ａ、３６３ｂの角度は図７の突出部３８０ａ、３８０ｂの角度と同様の略直角に形成されている。
このように、図７に示すカバーケース３１１のカバー側上部接着面３７４等はケース側基板収容部３７１の周囲において全周にわたって形成され、これに対応するケースヘッド３１０のケース側上部接着面３５６等もケース側基板配置部３５２の周囲を全周にわたって形成されている。
したがって、カバーケース３１１のカバー側上部接着面３７４等とケースヘッド３１０のケース側上部接着面３５６等とを接着剤により接着すると、ケースヘッド３１０のケース側基板配置部３５２に配置されるケース側基板３１４の周囲は全周にわたって接着剤により接着されるので、カバーケース３１１とケースヘッド３１０との隙間がなく防水性が著しく向上することになる。
【００３４】
ところで、ケースヘッド３１０には、カバーケース３１１のカバー部上部接着面３７４等とケースヘッド３１０のケース側上部接着面３５６等とを対向位置に配置するための案内手段である例えば、ガイド部３５３ａ、３５３ｂが、図５に示すように、２カ所に設けられている。このガイド部３５３ａ等は、ケースヘッド本体３５１から突出して設けられ、その側面形状が図５に示すように、略Ｕ字状と成っている。
ガイド部３５３ａ、３５３ｂは、図５に示すようにカバーケース進入案内部である例えば、斜め挿入用ガイド面３５４ａ、３５４ｂが形成されている。すなわち、斜め挿入用ガイド面３５４ａ等は、ガイド部３５３ａ等の基端部から図５の斜め上方に向かって傾斜するように形成されている。
【００３５】
一方、図７のカバーケース３１１には、図５の斜め挿入用ガイド面３５４ａ等に沿って移動可能な被案内部であるカバーケースガイド部３７２ａ、３７２ｂが２カ所に設けられている。このため、後述するように、接着のためカバーケース３１１をケースヘッド３１０に近づける際は、カバーケース３１１のカバーケースガイド部３７２ａ等をケースヘッド３１０の斜め挿入用ガイド面３５４ａ等に沿って近づけることで精度の高い接着を可能にする構成となっている。
すなわち、ガイド部３５３ａ等は、カバーケース３１１のカバー側上部接着面３７４等が、ケースヘッド３１０のケース側上部接着面３５６等に対して角度を保持して近接するための案内をする機能を果たしている。
【００３６】
また、図４及び図５に示すようにガイド部３５３ａ等の基端部（図５の下端部）には、斜め挿入用ガイド面３５４ａ等によって案内された図７のカバーケースガイド部３７２ａ等を保持する被案内保持部である例えば、固定部３６２ａ、３６２ｂが形成されている。
この固定部３６２ａ等は図６に示すように、Ｌ字状に切り欠かれており、直方体の形状でなる図６のカバーケースガイド部３７２ａ等の外形のＬ字状の部分と当接することによりカバーケースガイド部３７２ａ等の動きを規制する規制部３６２ａａ等を有している  
このため、図６の固定部３６２ａ等に保持されたカバーケース３１１のカバーケースガイド部３７２ａ等は、この規制部３６２ａａ等により図６の矢印方向への動きが規制され、カバーケース３１０が矢印方向である上方に抜けるのを防ぐ構成となっている。
【００３７】
また、図７に示すようにカバーケース３１１には、カバー側係合部である例えば、カバーケース爪３７３ａ、３７３ｂが２カ所に設けられている（カバーケース爪３７３ａはカバーケース爪３７３ｂに対向する面に形成されている）。
一方、図５に示すようにガイド部３５３ａ等には、このカバーケース爪３７３ａ等と係合するケース側係合部である例えば、係合凹部３５５ａ、３５５ｂが形成されている。
この係合凹部３５５ａ等は図４及図５に示すように略Ｕ字状の切り欠きとなっており、この切り欠きに図７のカバーケース爪３７３ａ等が引っ掛かることでカバーケース３１１とケースヘッド３１０との位置を固定する構成となっている。
また、図７に示すように、カバーケース爪３７３ａの表面には傾斜面３７３ａａ、３７３ｂａが形成されている（図示しないカバーケース爪３７３ａにも傾斜面３７３ｂａと同様の傾斜面３７３ａａが形成されている）。このため、カバーケース爪３７３ａ等を係合凹部３５５ａ等に係合させる際、ガイド部３５３を乗り越え易い構成となっている。
【００３８】
本実施の形態に係る記録ヘッド３００を有する記録装置１００は以上のように構成されているが、以下に、図７のカバーケース３１１とケースヘッド３１０を接着する工程等について説明する。
図８乃至図１０は、図７のカバーケース３１１をケースヘッド３１０に接着させる工程を示す概略説明図である。先ず、図３に示すヘッドユニット３２０とフレキシブル基板３３０をケース側基板３１４に接続し、ケースヘッド３１０のケース側基板配置部３５２に配置させる。
その後、ケース側基板３１４を覆うようにカバーケース３１１をケースヘッド３１０に接着する。すなわち、先ず、図４に示すケース側上部接着面３５６、ケース側左測接着面３５７、ケース側右側接着面３５８、ケース側左奥行側接着面３５９、ケース側右奥行側接着面３６０及びケース側手前側接着面３６１上に、接着剤を一定の厚みで塗布する。
具体的には、例えば図８で示すようにケース側右奥行側接着面３６０やケース側右側接着面３５８等に接着剤Ｓを塗布する。
【００３９】
このとき、ケースヘッド３１０のケース側上部接着面３５６等の表面は平面形状なので接着剤Ｓを塗布し易い形状となっている。また、対応するカバーケース３１１のケース側上部接着面３５６等も平面形状なので接着させ易い構成となっている。さらに、ケースヘッド３１０のケース側上部接着面３５６等やカバーケース３１１のケース側上部接着面３５６等は、図４等に示すように、ケース側基板３１４に周囲を完全に取り囲むように配置されているので、接着後は、カバーケース３１１とケースヘッド３１０との間はすべて接着剤Ｓが配置され、防水性が向上することになる。
【００４０】
特に、記録装置１００を持ち運び可能とし、利用者が持ち運ぶ際、記録装置１００を大きく傾け、図２のインクカートリッジ用の針３１２等からインクがケースヘッド３１０に漏れだしても、この漏れだしたインクがカバーケース３１１との隙間を介して内部のケース側基板３１４に達することがない。このため、利用者が持ち運んでもケース側基板３１４が発熱等しない信頼性の高い記録装置１００とすることができる。
【００４１】
次に、図７のカバーケース３１１をケースヘッド３１０に斜め上方から近接させ、図８に示すように、カバーケース３１１のカバーケースガイド部３７２ａ等をケースヘッド３１０のガイド部３５３ａ等の斜め挿入用ガイド面３５４ａ等に当接させる。
次に、図９に示すように、カバーケース３１１のカバーケースガイド部３７２ａ等を斜め挿入用ガイド面３５４ａ等に沿うように、ケースヘッド３１０に近づける。このときカバーケース３１１のカバーケース爪３７３ａ等は、ガイド部３５３ａ等に乗り上げることになるが、カバーケース爪３７３ａ等は、傾斜面３７３ａ等によって容易に乗り上げることができる。
また、カバーケース３１１は図９の矢印Ｖの方向に沿ってケースヘッド３１０に近接することになる。このため、例えば図９に示すように、カバーケース３１１のカバー側左奥行側接着面３７７は、ケースヘッド３１０のケース側右奥行側接着面３６０に近接するが、接着位置に達するまでは、ケース側右奥行側接着面３６０に当接しない構成となっている。
【００４２】
このため、カバー側左奥行側接着面３７７がケース側右奧行側接着面３６０上を擦るように摺動することがない。すなわち、ケース側右奧行側接着面３６０上に塗布された接着剤Ｓを図９の矢印Ｘ方向に押し込み、図９の矢印Ｙと破線で示すように接着剤Ｓを奥側で厚くさせることがない。図９の破線で示すように接着剤Ｓを奥側へ押し込めると、手前側（図の左側）の接着剤Ｓの厚さがその分、薄くなり全体として接着剤Ｓの厚みが不均一となる。
このように接着剤Ｓの厚みが不均一な状態でカバーケース３１１とケースヘッド３１０を接着すると、接着剤Ｓの厚みが薄い部分の防水性が低下し、上述のようなインク漏れがあった場合にインクが、防水性が低下した部分から内部に進入し、ケース側基板３１４に達し、発熱等を生じさせるおそれがある。
しかし、本実施の形態では、カバーケース３１１のカバー側左奥行側接着面３７７等がケース側右奧行側接着面３６０等上で摺動しないので、ケース側右奧行側接着面３６０等上に塗布された接着剤Ｓの厚みを不均一にすることを未然に防止することができ、防水性が向上する。
【００４３】
また、図９に示すようにカバーケース３１１をケースヘッド３１０に向けて、矢印Ｖの方向に移動させると、カバーケース３１１の突出部３７２ａ等をケースヘッド３１０の受容部３６３ａ等に対して近接等するように移動させることになる。このため、作業者等がカバーケース３１１をケースヘッド３１０に配置させる際、突出部３７２ａ等と受容部３６３ａ等を合わせるようにすることで正確に配置できる。
すなわち、ケースヘッド３１０に対するカバーケース３１１の接着位置の位置決めを容易且つ正確に行うことができる。
【００４４】
図１０は、このようにカバーケース３１１がケースヘッド３１０のガイド部３５３ａ等に案内され、ケースヘッド３１０に接着剤Ｓを介して当接した状態である。このとき、接着剤Ｓは例えば、カバー側左奥行側接着面３７７とケース側右奥行側接着面３６０の間に配置されるが、接着剤Ｓは両者の間のみならず、多少外側にはみ出すような量となっている。
これは、カバーケース３１１とケースヘッド３１０との接着状態は管理者が視認して確認するためである。すなわち、接着剤Ｓが両者の間に適量配置されていれば、外側に接着剤Ｓがはみ出すので、接着剤Ｓのはみ出しを目で見て確認することができる。
しかし、上述のように、カバーケース３１１のカバー側左奥行側接着面３７７が、ケース側右奥行側接着面３６０の上を摺動し、接着剤Ｓの厚みを不均一にすると、実際に接着剤Ｓが配置されていても、外部にはみ出さないため、管理者が接着状態を視認できす、不良品となってしまう。
この点、本実施の形態では、接着剤Ｓの厚みが不均一にならないので、管理者による接着状態の管理が容易となる。
【００４５】
ところで、図１０に示すように、カバーケース３１１をケースヘッド３１０に接着剤Ｓを介して配置させると、カバーケース３１１のカバーケースガイド部３７３ａ等がガイド部３５３ａ等を乗り越え、ガイド部３５３ａ等の係合凹部３５５ａ等と係合される。このため、カバーケース３１１はケースヘッド３１０に対してより強固に、接着剤Ｓによる接着状態を維持させることになる。
【００４６】
また、図１０に示すように、カバーケース３１１のカバーケースガイド部３７２ａ等は、ケースヘッド３１０の斜め挿入用ガイド面３５４ａ等で案内された後、固定部３６２ａ等で固定される。このため、カバーケース３１１をケースヘッド３１０に接着した後、図１０の上方向に移動するような力が、カバーケース３１１に加わっても、固定部３６２の規制部３６２ａａ等によって移動が規制され、いわゆる抜け止めとなる。
【００４７】
本発明は、上述の実施の形態に限定されない。さらに、上述の各実施の形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【図面の簡単な説明】
【００４８】
【図１】本発明の液体噴射装置の実施の形態にかかるインクジェット式記録装置（以下「記録装置」という）を示す概略斜視図である。
【図２】記録ヘッドの要部を示す概略斜視図である。
【図３】図２の記録ヘッドの概略分解斜視図である。
【図４】図３のケースヘッドの概略斜視図である。
【図５】図４のケースヘッドの概略右側面図である。
【図６】図５の矢印Ｐ部の概略部分拡大図である。
【図７】図３のカバーケースの概略斜視図である。
【図８】図７のカバーケースをケースヘッドに接着させる工程を示す概略説明図である。
【図９】図７のカバーケースをケースヘッドに接着させる工程を示す他の概略説明図である。
【図１０】図７のカバーケースをケースヘッドに接着させる工程を示す他の概略説明図である。
【符号の説明】
【００４９】
１００・・・インクジェット式記録装置、１０１・・・キャリッジ、１０２・・・キャリッジモータ、１０３・・・タイミングベルト、１０４・・・ガイド部材、１０５・・・プラテン、１０６・・・ブラックインクカートリッジ、１０７・・・カラー用インクカートリッジ、３００・・・１２０・・・キャッピング手段、１２１・・・キャップホルダ、１２２・・・キャップ部材、１２４・・・スライダ、１２５・・・回動アーム、１２８・・・大気開放口、１３０・・・吸引ポンプ、１４０・・・ワイピング部材、２００・・・記録用紙、３００・・・インクジェット式記録ヘッド、３１０・・・ケースヘッド、３１１・・・カバーケース、３１２・・・針，３１３・・・フィルタ，３１４・・・ケース側基板、３２０・・・ヘッドユニット、３２１・・・アクチュエータ、３２２・・・リザーバプレート、３２３・・・供給プレート、３２４・・・ノズルプレート、３３０・・・フレキシブル基板、３４０・・・カバーヘッド、３５１・・・ケースヘッド本体、３５２・・・ケース側基板配置部、３５３ａ、３５３ｂ・・・ガイド部、３５４ａ、３５４ｂ・・・斜め挿入用ガイド面、３５５ａ、３５５ｂ・・・係合凹部、３５６・・・ケース側上部接着面、３５７・・・ケース側左側接着面、３５８・・・ケース側右測接着面、３５９・・・ケース側左奥行側接着面、３６０・・・ケース側右奥行側接着面、３６１・・・ケース側手前側接着面、３６２ａ、３６２ｂ・・・固定部、３６２ａａ、３６２ｂａ・・・規制部、３６３ａ、３６３ｂ・・・受容部、３７１・・・ケース側基板収容部、３７２ａ、３７２ｂ・・・カバーケースガイド部、３７３ａ、３７３ｂ・・・カバーケース爪、３７３ａａ、３７３ｂａ・・・傾斜面、３７４・・・カバー側上部接着面、３７５・・・カバー側左測接着面、３７６・・・カバー側右側接着面、３７７・・・カバー側左奥行側接着面、３７８・・・カバー側右奥行側接着面、３７９・・・カバー側奧側接着面、３８０ａ、３８０ｂ・・・突出部。
【図１】
2005111884.tif 000003
【図２】
2005111884.tif 000004
【図３】
2005111884.tif 000005
【図４】
2005111884.tif 000006
【図５】
2005111884.tif 000007
【図６】
2005111884.tif 000008
【図７】
2005111884.tif 000009
【図８】
2005111884.tif 000010
【図９】
2005111884.tif 000011
【図１０】
2005111884.tif 000012